(57)【要約】【課題】  印刷技術により、ホログラムと同様な視覚効果を得ることが可能な印刷物提供する。【解決手段】  光が透過可能な透過層であって、表面に多数の凸部３Ａ又は凹部３Ｂを有する透過層３と、光を反射する反射面５Ａを有する反射層であって、透過層３の裏面側に設けられた反射層５と、透過層３と反射層５との間に設けられた着色層であって、多数の有色着色部７Ａが印刷により離散的に配置された着色層７とを設ける。これにより、入射する光は、透過層３の凸部３Ａ又は凹部３Ｂにて散乱しながら反射層５側に向かう。そして、反射層５にて反射した光の一部は、有色着色部７Ａを通過して透過層３からホログラムプリント１外に出射する。このとき、有色着色部７Ａは、色付きのフィルタの如く作用する。そして、ホログラムプリント１に入射する光が散乱していることから、フィルタをなす有色着色部７Ａを通過して出射する光も散乱する。【選択図】図１
2014208402.tif 000002
【特許請求の範囲】
【請求項１】
光が透過可能な透過層であって、表面に多数の凸部又は凹部を有する透過層と、
光を反射する反射面を有する反射層であって、前記透過層の裏面側に設けられた反射層と、
前記透過層と前記反射層との間に設けられた着色層であって、多数の有色着色部が印刷により離散的に配置された着色層と
を備えることを特徴とする印刷物。
【請求項２】
隣り合う前記有色着色部間のうち前記凸部又は前記凹部に対応する部位には、透明無色インクの無色部であって、印刷により構成された無色部が設けられていることを特徴とする請求項１に記載の印刷物。
【請求項３】
前記多数の有色着色部は、縞模様状に印刷されていることを特徴とする請求項１又は２に記載の印刷物。
【請求項４】
前記多数の有色着色部は、第１色の第１着色部及び前記第１着色部と隣接する第２色の第２着色部を１組として、離散的に配置されていることを特徴とする請求項１ないし３のいずれか１項に記載の印刷物。
【発明の詳細な説明】
【技術分野】
【０００１】
本発明は、ホログラムと同様な視覚効果を得ることが可能な印刷物に関するものである。
【背景技術】
【０００２】
例えば、特許文献１に記載のホログラムシートでは、エンボス成形技術等により表面に多数の微細な凹凸を設けている。
【先行技術文献】
【特許文献】
【０００３】
【特許文献１】特開昭６１−２０８０７２号公報
【発明の概要】
【発明が解決しようとする課題】
【０００４】
上記のごとく、通常のホログラムシートでは、多数の微細な凹凸を機械的又は化学的に形成しているので、多種多様なホログラムシートを安価に得ることが難しい。
本発明は、上記点に鑑み、印刷技術により、ホログラムと同様な視覚効果を得ることが可能な印刷物を提供することを目的とする。
【課題を解決するための手段】
【０００５】
本発明は、上記目的を達成するために、光が透過可能な透過層であって、表面に多数の凸部（３Ａ）又は凹部（３Ｂ）を有する透過層（３）と、光を反射する反射面（５Ａ）を有する反射層であって、透過層（３）の裏面側に設けられた反射層（５）と、透過層（３）と反射層（５）との間に設けられた着色層であって、多数の有色着色部（７Ａ）が印刷により離散的に配置された着色層（７）とを備えることを特徴とする。
【０００６】
これにより、本発明では、印刷物に入射する光は、透過層（３）の凸部（３Ａ）又は凹部（３Ｂ）にて散乱しながら反射層（５）側に向かう。そして、反射層（５）にて反射した光の一部は、有色着色部（７Ａ）を通過して透過層（３）から印刷物外に出射する。
【０００７】
このとき、有色着色部（７Ａ）は、色付きのフィルタの如く作用する。そして、印刷物に入射する光が散乱していることから、フィルタをなす有色着色部（７Ａ）を通過して出射する光も散乱する。
【０００８】
したがって、市販のホログラムシートのような多数の微細な凹凸を機械的又は化学的に設けることなく、印刷技術にてホログラムシートと同様な効果を発揮するシートを得ることができる。延いては、上記効果を得ることが可能な多種多様なシートを安価に得ることが可能となる。
【０００９】
因みに、上記各手段等の括弧内の符号は、後述する実施形態に記載の具体的手段等との対応関係を示す一例であり、本発明は上記各手段等の括弧内の符号に示された具体的手段等に限定されるものではない。
【図面の簡単な説明】
【００１０】
【図１】（ａ）〜（ｅ）は本発明の実施形態に係る印刷物の断面図である。
【発明を実施するための形態】
【００１１】
以下に説明する「発明の実施形態」は実施形態の一例を示すものである。つまり、特許請求の範囲に記載された発明特定事項等は、下記の実施形態に示された具体的手段や構造等に限定されるものではない。
【００１２】
そして、本実施形態は、ホログラムシートと同様な効果を狙った印刷物に本発明を適用したものである。「ホログラムシートと同様な効果」とは、本実施形態に係る印刷物を利用者が方向を変えながら視認した際に、複数の色を視認できることをいう。
【００１３】
以下、本発明の実施形態を図面と共に説明する。なお、少なくとも符号を付して説明した部材又は部位は、「複数」や「２つ以上」等の断りをした場合を除き、少なくとも１つ設けられている。
【００１４】
（第１実施形態）
１．ホログラムプリントの構成
図１（ａ）〜図１（ｅ）は、本実施形態に係る印刷物（以下、「ホログラムプリント」という。）の具体例を示す模式図である。ホログラムプリント１は、透過層３、反射層５及び着色層７を少なくとも備える。
【００１５】
透過層３は光が透過可能な層である。透過層３は、例えば透明なニス等を印刷することにより形成される。反射層５は、光を反射する反射面５Ａを有する層であって、透過層３の裏面側に設けられている。
【００１６】
透過層３の裏面側とは、着色層７を挟んで透過層３と反対側をいう。つまり、光は、少なくとも透過層３側からホログラムプリント１に入射し、反射面５Ａにて透過層３側に反射する。
【００１７】
反射層５は、アルミニウム等の金属製の箔により構成されている。なお、本実施形態に係る反射層５は、その厚みが２μｍ程度と非常に薄く、反射層５のみで形状を維持することが難しい。
【００１８】
そこで、反射層５の裏面側、つまり反射面５Ａと反対側には、反射層５を保持する保持層５Ｂが設けられている。したがって、反射層５のみで形状を維持することが可能であれば、保持層５Ｂを廃止してもよい。
【００１９】
着色層７は、透過層３と反射層５との間に設けられた層であって、多数の有色着色部７Ａが印刷により離散的に配置されている。当該着色層７は、反射面５Ａに有色着色部７Ａが印刷されることにより形成されている。
【００２０】
「多数の有色着色部７Ａが印刷により離散的に配置されている」とは、図１（ａ）等に示されるように、隣り合う有色着色部７Ａが密着しておらず、所定の間隔を有して離隔していることをいう。
【００２１】
なお、図１（ａ）等では、隣り合う有色着色部７Ａ間の間隔寸法が同一であるが、前記間隔寸法の全てが異なる場合、又は間隔寸法が同一である箇所と異なる箇所とが混在している場合であってもよい。
【００２２】
多数の有色着色部７Ａは、少なくとも第１着色部７Ｂ及び第２着色部７Ｃを有している。第１着色部７Ｂは第１色により構成されている。第２着色部７Ｃは、第１着色部７Ｂと密着して隣接する着色部であって、第１色と異なる第２色により構成されている。
【００２３】
そして、多数の有色着色部７Ａは、少なくとも第１着色部７Ｂ及び第２着色部７Ｃを１組として離散的に配置されている。多数の有色着色部７Ａ、つまり多数の第１着色部７Ｂ及び第２着色部７Ｃは、縞模様状に印刷されている。
【００２４】
なお、図１（ａ）〜図１（ｄ）に示す第１着色部７Ｂはシアンであり、図１（ｅ）に示す第１着色部７Ｂはマゼンタである。図１（ａ）、図（ｃ）、図１（ｄ）に示す第２着色部７Ｃはマゼンタであり、図１（ｂ）、図１（ｅ）に示す第２着色部７Ｃはイエローである。
【００２５】
更に、図１（ｃ）及び図１（ｄ）には、第１色及び第２色と異なる第３色により構成され、かつ、第２着色部７Ｃと密着して隣接する第３着色部７Ｄも有している。図１（ｃ）及び図１（ｄ）に示す第３着色部７Ｄは、イエローである。
【００２６】
透過層３の少なくとも表面には、多数の凸部３Ａ又は凹部３Ｂが設けられている。なお、図１（ａ）等においては、凸部３Ａ及び凹部３Ｂは、模式的に記載されている。現実には、３μｍ程度の高低差を有する凸部３Ａ又は凹部３Ｂが、多数設けられている。
【００２７】
そして、隣り合う有色着色部７Ａ間のうち凸部３Ａ又は凹部３Ｂ（本実施形態では、凹部３Ｂ）に対応する部位には、無色部９が設けられている。無色部９は、透明無色インク（本実施形態では、メジウム）であって、印刷により構成されている。
【００２８】
なお、本実施形態では、無色部９をメジウムで構成することにより、透過層３の表面に凹部３Ｂ又は凸部３Ａを形成している。つまり、有色着色部７Ａに隣り合ってメジウムが印刷された後、有色着色部７Ａ及びメジウムの上に透明ニスが印刷されて透過層３が形成されると、透過層３の表面に凹部３Ｂや凸部３Ａが形成される。
【００２９】
なお、図１（ａ）〜図１（ｅ）では、透過層３の厚み寸法Ｔ１は約２μｍ以上、８μｍ以下であり、有色着色部７Ａの厚み寸法Ｔ２は約１μｍ以下であり、第１着色部７Ｂ〜第３着色部７Ｄの幅寸法Ｗ１はそれぞれ約０．１ｍｍであり、無色部９の厚み寸法及び幅寸法は有色着色部７Ａの厚み寸法及び幅寸法と同一である。
【００３０】
２．本実施形態に係るホログラムプリントの特徴
ホログラムプリント１に入射する光は、透過層３の凸部３Ａ又は凹部３Ｂにて散乱しながら反射層５側に向かう。そして、反射層５にて反射した光の一部は、有色着色部７Ａを通過して透過層３からホログラムプリント１外に出射する。
【００３１】
このとき、有色着色部７Ａは、色付きのフィルタの如く作用する。そして、ホログラムプリント１に入射する光が散乱していることから、フィルタをなす有色着色部７Ａを通過して出射する光も散乱する。
【００３２】
したがって、市販のホログラムシートのような多数の微細な凹凸を機械的又は化学的に設けることなく、印刷技術にてホログラムシートと同様な効果を発揮するシートを得ることができる。延いては、多種多様なホログラムプリント１を安価に得ることが可能となる。
【００３３】
（その他の実施形態）
上述の実施形態では、無色部９の厚み寸法は、有色着色部７Ａの厚み寸法と同一であたったが、本発明はこれに限定されるものではなく、無色部９の厚み寸法を有色着色部７Ａの厚み寸法より大きくする、又は無色部９の厚み寸法を有色着色部７Ａの厚み寸法より小さくする等してもよい。
【００３４】
上述の実施形態では、第１着色部７Ｂ及び第２着色部７Ｃを有する有色着色部７Ａ、又は第１着色部７Ｂ、第２着色部７Ｃ及び第３着色部７Ｄを有する有色着色部７Ａであったが、本発明に係る有色着色部７Ａは、これに限定されるものではなく、例えば、第４色からなる第４有色着色部を含む有色着色部７Ａであってもよい。つまり、本発明に係る有色着色部７Ａは、少なくとも第１着色部７Ｂ及び第２着色部７Ｃを有していれば十分である。
【００３５】
上述の実施形態では、１種類の有色着色部７Ａを離散的に配置したものであったが、本発明はこれに限定されるものではなく、例えば、複数種類の有色着色部７Ａを離散的に配置したものであってもよい。
【００３６】
また、本発明は、特許請求の範囲に記載された発明の趣旨に合致するものであればよく、上述の実施形態に限定されるものではない。
【符号の説明】
【００３７】
１… ホログラムプリント  ３… 透過層  ３Ａ… 凸部
３Ｂ… 凹部  ５… 反射層  ５Ａ… 反射面  ５Ｂ… 保持層
７… 着色層  ７Ａ… 有色着色部  ７Ｂ… 第１着色部  ７Ｃ… 第２着色部
７Ｄ… 第３着色部  ９… 無色部
【図１】
2014208402.tif 000003